(57)【要約】      （修正有）【課題】永久磁石磁界同士の反発及び引力により外部からのエネルギーを必要としないで回転を得る。得られた回転で外部の発電機や外部の部品を回転させる。【解決手段】永久磁石磁界の円弧を利用し永久磁石磁界同士の反発及び引力により生じる横滑りを利用する。基本回転盤の永久磁石の角度を６０度とする。シリンダー・ピストン及びバルブ部位の角度を７０度とする。ガイド基礎角度合計は３６０度以内とする。相互の相対する永久磁石の上死点の角度は、1度以上永久磁石同士の磁界での最大作用角度範囲以内で６度とする。【選択図】図３
2010252621.tif 000002
【特許請求の範囲】
【請求項１】
永久磁石磁界同士の反発及び引力による横滑りを利用すること。
クランクの回転が基本回転盤１回転で１８回転の場合、基本回転盤に取り付けた永久磁石の角度が基本回転盤の中心点を基準とし６０度毎。
シリンダー・ピストン及びバルブ部位の角度が基本回転盤の中心点を基準とし７０度毎（ただし、一箇所１０度）。
クランクシャフトと歯車によりピストンに取り付けた永久磁石が前後作動すること。
バネを利用したバルブ部位により基本回転盤に取り付けた永久磁石が前後作動すること。
歯車による動力の伝達。
基本回転盤に取り付けた永久磁石とピストンに取り付けた永久磁石同士の磁界の上死点の角度位置を反発はー６度、また引力は６度としたこと。
一対の永久磁石同士が反発もしくは引力で基本回転盤が回転する角度は１０度以上であること。
クランクが半周（１８０度）回転すると基本回転盤が１０度回転すること。
本装置で得られた基本回転盤の回転で外部に動力を伝えるほか、回転を得られた中心軸本体で動力を外部に伝える。
上記の要素を用いて連続回転を得る本装置一連の構造。
【請求項２】
上記記述及び異なるクランク回転数による数値を数式交えて記述。
１．基本回転盤に取り付ける永久磁石の角度（基本回転盤の中心を基準）
基本回転盤の最初の位置を０度とし決定する。
３６０度÷クランク回転数×１以上任意の整数（最大値が９０度以内）
２．ガイド基礎の角度（ピストンに取り付けた永久磁石）（基本回転盤の中心を基準）
１の基本回転盤の最初の位置を０度とし決定する。
３６０度÷クランク回転数×１以上任意の整数（最大値が９０度以内）（基本回転盤に取り付けた永久磁石の角度）＋３６０度÷クランク回転数÷２
３．下記計算にてガイド基礎を配置した場合３６０度より手前で（３６０度÷クランク回転数）以内の間隔が開く場合は基本回転盤の最初の位置を０度とし、ガイド基礎を逆方向に（３６０度÷クランク回転数÷２）分、一箇所だけ設置する。
ガイド基礎の角度合計＝３６０度＞（３６０度÷クランク回転数×１以上任意の整数（最大値が９０度以内）＋３６０度÷クランク回転数÷２）×任意の整数
４．基本回転盤とピストンに取り付けた相互に相対する基本回転盤の中心を基準とする永久磁石の上死点での角度は、永久磁石同士の磁界の反発及び引力の最小作用角度範囲内にて１度以上永久磁石同士の磁界での最大作用角度範囲以内で、次の相対する永久磁石同士の反発及び引力に結びつく角度を設ける。
【請求項３】
クランクを１軸に統一した場合は、１基本回転盤に対しガイド基礎を１ないし基本回転盤に取り付けた永久磁石の数だけ同時作用で取り付けることが出来、トルクの上昇にもつながる。
また、クランク回転数・基本回転盤の枚数及び基本回転盤に取り付ける永久磁石並びにガイド基礎の角度も容易に選択できる。
これらを利用した永久磁石磁界同士の反発及び引力で生じる連続回転を得る構造。
上記の要素を用いて連続回転を得る本装置一連の構造で得られた基本回転盤の回転で外部に動力を伝えるほか、回転を得られた中心軸で動力を外部に伝える。
【発明の詳細な説明】
【技術分野】
【０００１】
本発明は、外部からエネルギーを供給することなく本装置自身で回転が得られるものです。
本発明の技術は、基本回転盤に取り付けた永久磁石の角度が基本回転盤の中心点を基準とし６０度毎、シリンダー（ガイド基礎  今後シリンダーに呼称統一）・ピストン及びバルブ部位の角度が基本回転盤の中心点を基準とし７０度毎（一部１０度）、クランクシャフトと歯車等（ベルト、チェーン他  今後は歯車で統一呼称）によりピストンに取り付けた永久磁石の前後作動・動力の伝達、基本回転盤内にバネを利用した対象永久磁石の対以外の永久磁石磁界干渉対策用バルブ部位による基本回転盤に取り付けた永久磁石の前後作動、これらを利用した永久磁石磁界同士の反発及び引力（引き合い  今後引力に呼称統一）により生じる横滑りで連続回転を得る構造及びこれらで得た回転動力を外部へ伝達することです。
【背景技術】
【０００２】
本発明は永久磁石の磁界が円弧を描いていることに注目し、磁界の反発及び引力を利用することで生じる永久磁石同士の横滑りに注目しました。
また本発明を考えるに至ったのは、風力発電による騒音及び人体に対する有害な音波などで身体や脳に支障をきたしている事及び太陽電池の高価並びに効率の悪さ取り付け場所の不具合さに端を発している。
また、原子力発電の老朽化による建替えや使用済み核燃料の廃棄問題、火力発電などのＣｏ２削減等の温暖化環境問題並びに太陽・風力の発電能力の低さ、海外での電気事情の不便さ、電気自動車の充電など移動手段も考慮しました。
本装置は室内ばかりでなく、空気のない場所でも使用可能である。
【０００３】
現ガソリンエンジンのピストン部分が本装置のピストン部分で、ガソリンの爆発が本装置の永久磁石磁界同士の反発及び引力により生じる横滑りに相当します。
基本回転盤の中心軸・盤その物は現ガソリンエンジンのクランク軸及びフライホイール（弾み車  今後フライホイールに呼称統一）に当たります。
また、基本回転盤内にガソリンエンジンの吸排気バルブに相当するバネを利用した永久磁石を前後させる部位（今後この部分をバルブ部位と呼称）を構成しました。
これは、反発や引力を生じさせる対の永久磁石以外の永久磁石の磁界干渉軽減策及び反発並びに引力に勢いをつけるものです。
中心軸（クランク軸）の延長が歯車を介して最終歯車に取り付けたクランクとなり、シャフトによりピストンを前後させます。
基本回転盤・歯車・クランクなどの各回転に関してはベアリングなどを利用し回転をスムーズにさせます。
【０００４】
本装置は永久磁石磁界同士の反発と引力により生じる横滑りを基準に考察しています。
本装置の変更できない点はクランクの回転が基本回転盤１回転で１８回転の場合、回転する基本回転盤に取り付けた永久磁石の角度が基本回転盤の中心を基準に６０度毎、シリンダー・ピストン及びバルブ部位の取り付け角度は基本回転盤の中心を基準とし７０度毎（一部１０度）、クランクが半周・１８０度回転すると基本回転盤が１０度回転すること、一対の永久磁石同士が反発もしくは引力で基本回転盤が回転する角度は１０度以上であること。
最初の永久磁石一対が反発及び引力を終了した時点で次の一対が反発及び引力を始めていなければならない。
今回採用した永久磁石の作用によりクランクが８分の１（４５度）回転した場合、基本回転盤の中心を基準として基本回転盤が２．５度回転、ピストンは４ｍｍ前後移動します。
反発及び引力の効果が得られる永久磁石同士の上死点の角度設定は基本回転盤の中心点を基準として、今回採用した永久磁石同士の磁界の関係で反発は−６度、引力は６度としています。
基本回転盤及びピストンに取り付けた永久磁石の大きさ並びに種類・磁界の範囲などにより基本回転盤並びに歯車の大きさ、基本回転盤に取り付けた永久磁石とシリンダー内をクランクシャフトで前後するピストンに取り付けた永久磁石との上死点の角度は変更されます。
歯車・基本回転盤・シリンダー・ピストン・クランク・シャフト、バルブ部位等は制作上、形状及びサイズ及び取り付け位置は変更される。
【０００５】
本装置の作動の説明は今回採用した永久磁石を基準にして次の通りです。
永久磁石同士の位置及び全体の構造に関しては図３平面図参照。
シリンダー下として説明。
反発の上死点はシリンダー内を前後するピストンに取り付けた永久磁石（７）の角度が基本回転盤の中心を基準として０度とすると、基本回転盤に取り付けられた永久磁石（１）の角度は基本回転盤の中心を基準として−６度となります。
上記の反発で永久磁石（１）が時計回りに横滑りが生じ基本回転盤が回転、同時に基本回転盤の回転を歯車の動力伝達によりクランクが反時計回りしシャフトにより永久磁石（７）を後退させます。
基本回転盤が回転したことにより、基本回転盤内に取り付けたバルブが後退し次のバルブが押し出され、次の永久磁石同士の反発に繋がります。
永久磁石（７）のクランクが１８０度回転した時、基本回転盤に取り付けた永久磁石（２）がクランクシャフトによりシリンダー内を前進したピストンに取り付けた永久磁石（８）との上死点または上死点を過ぎた時となります。
この時永久磁石同士（１と７）の反発より次の永久磁石同士（２と８）の反発が上回ることと基本回転盤をフライホイールとして利用し回転は持続する。
次の永久磁石同士（２と８）の反発が強くなった時点で最初の永久磁石同士（１と７）の反発はピストンの後退、バルブ部位の作用による後退及び基本回転盤の回転により反発の度合いは弱くなっていきます。
基本回転盤を増設し引力での作用も同時発生させることにより回転効果の持続及び威力を高めることが出来ます。
引力の上死点はシリンダー内を前後するピストンに取り付けた永久磁石（１９）の角度が基本回転盤の中心を基準として０度とすると、基本回転盤に取り付けられた永久磁石（１３）の角度は基本回転盤の中心を基準として６度となります。
上記の引力で永久磁石（１３）が時計回りに横滑りが生じ基本回転盤が回転、同時に基本回転盤の回転を歯車の動力伝達によりクランクが反時計回りしシャフトにより永久磁石（１９）を後退させます。
基本回転盤が回転したことにより、基本回転盤内に取り付けたバルブが後退し次のバルブが押し出され、次の永久磁石同士の引力に繋がります。
永久磁石（１９）のクランクが１８０度回転した時、基本回転盤に取り付けた永久磁石（１４）がクランクシャフトによりシリンダー内を前進したピストンに取り付けた永久磁石（２０）との上死点または上死点を過ぎた時となります。
上記の一対の永久磁石同士（１３と１９）の引力より次の永久磁石同士（１４と２０）の引力が上回ることと基本回転盤をフライホイールとして利用し回転は持続する。
次の永久磁石同士（１４と２０）の引力が強くなった時点で最初の永久磁石同士（１３と１９）の引力はピストンの後退、バルブ部位の作用による後退及び基本回転盤の回転により引力の度合いは弱くなっていきます。
本装置はこれらの反発及び引力による連続作動で回転を生みます。
本装置で採用した永久磁石はフェライト磁石（異方性カク）、サイズ２０×１３×４（ｍｍ）（平面部分が各々Ｎ・Ｓ）を使用しています。
上記永久磁石同士の磁界の反発及び引力する範囲は永久磁石本体同士から約２２ｍｍ（永久磁石本体のみは１１ｍｍ）が最大でそれ以上は４２ｍｍ（永久磁石本体のみは２１ｍｍ）まで本装置の作用に影響のない磁界があります。
この永久磁石同士を最大限利用でき尚且つ反発及び引力を利用している本装置では、次の永久磁石同士の反発及び引力が始まる前にお互いを遠ざけなければならないこと及び対象永久磁石以外の永久磁石の磁界の干渉軽減策を考慮し、バルブ部位を採用。
基本回転盤に取り付けた永久磁石とピストンに取り付けた永久磁石の上死点最小間隔を基本回転盤の中心を基準として９ｍｍとしました。
永久磁石の磁界の範囲を考慮してクランクの回転直径を１６ｍｍとしました。
この間隔は磁石の種類及び磁界の強さ・大きさなどにより変更される。
基本回転盤が１回転すると本装置で採用している最終平歯車と同時に回転するクランクが１８回転する。
以上が本装置の作動の説明です。
基本回転盤を２枚３枚と増やし、反発及び引力を取り入れたり、反発及び引力の回数を増やしたり、本装置と同一の装置を縦列に繋ぐことも可能であります。
また、図４５以下の様にクランクを１軸に統一した場合は、１基本回転盤に対しガイド基礎を１ないし基本回転盤に取り付けた永久磁石の数だけ同時作用で取り付けることが出来、トルクの上昇にもつながる。
また、クランク回転数・基本回転盤の枚数及び基本回転盤に取り付ける永久磁石並びにガイド基礎の角度も容易に選択できる。
本装置で得られた基本回転盤の回転で外部に動力を伝えるほか、回転を得られた中心軸本体で動力を外部に伝える。
【０００６】
基本回転盤  １個（２個  引力採用時）
基本回転軸  １本
クランク軸  ６本
クランクシャフト  ６組
シリンダー  ６組
ピストン  ６組
ベアリング大  ３２個（軸を固定し歯車及び回転盤のみが回転する場合は１６個）
ベアリング小  １２組（クランクシャフト用）
永久磁石  １２個（引力や反発を増やした場合、基本回転盤一枚増で１２個増）
軸大  １６本
軸小  １２本
ピストン棒  ６本（縦列に増やす以外は増減無し、ただし同一装置に反発もしくは引力用基本回転盤増の場合は増設永久磁石取り付け部材６本が必要）
平歯車６０歯  １個
平段歯車６０歯・２０歯  ３個
平段歯車６０歯・３０歯  ６個
平歯車２０歯  ６個
バルブ  ６本（１２本  引力併用）
バルブ用引き戻しバネ  ６個（１２個  引力併用）
バルブ押し出し用棒  ６本（１２本  引力併用）
バルブ押し出し用バネ  ６個（１２個  引力併用）
バルブ押し出し用ローラー  ６個（１２個  引力併用）
バルブ押し出し用棒ガイド付き盤  １枚（２枚  引力併用）
底板  １枚
中間軸支え板  １枚
天井板  １枚
クランクを１軸で構成する場合は次の通りとなる
基本回転盤  ６個
基本回転軸  １本
クランク軸  ６組
クランクシャフト  ６組
シリンダー  ６組
ピストン  ６組
ベアリング（製作による）
永久磁石  ２４個
ピストン棒  ６本
平歯車６０歯  １個
平段歯車６０歯・２０歯  １個
平段歯車６０歯・３０歯  １個
平歯車２０歯  １個
ギヤ  ３個（数値は制作上異なる場合がある）
チェーン  ２本
バルブ  ６本
バルブ一式  ６組
底板  １枚
中間軸支え板  ３枚
天井板  １枚
フライホイール  １個
組となっているのは数個の部品の集合体並びに構成上１個で済むが数個で構成する場合を考慮に入れている。
あくまで図面の説明上の数量であり、製作上、数量等は変更になる。
【先行技術文献】
【非特許文献】
【０００７】
【非特許文献１】特になし。
【特許文献１】特開２００７−２２８７８０
【特許文献２】特開２００６−０５０６７９
【特許文献３】特開平０９−２４７９２２
【特許文献４】特開平０９−０１９１７６
【特許文献５】特開平０７−２７４４８１
【特許文献６】特開平０６−１０５５３５
【特許文献７】特開平０２−０２３０７７
【特許文献８】特開平０１−１７０３６１
【特許文献９】特開昭６３−０９５８７１
【発明の概要】
【０００８】
本発明の基礎技術は、永久磁石磁界同士の反発及び引力による横滑り、
クランクシャフトによりピストンに取り付けた永久磁石の前後作動、
バネを利用したバルブ部位による基本回転盤に取り付けた永久磁石の前後作動、
歯車による動力の伝達、
クランクの回転が基本回転盤回転で１８回転の場合、基本回転盤に取り付けた永久磁石の角度が基本回転盤の中心点を基準とし６０度毎、
シリンダー・ピストン及びバルブ部位の角度が基本回転盤の中心点を基準とし７０度毎（一部１０度）、
基本回転盤に取り付けた永久磁石とピストンに取り付けた永久磁石同士の磁界の上死点の角度を反発はー６度また引力は６度としたこと、
一対の永久磁石同士が反発もしくは引力で基本回転盤が回転する角度は１０度以上であること、
クランクが半周（１８０度）すると基本回転盤が１０度回転すること、
また、上記記述及び異なるクランク回転数による構造を数式交えて記述いたします。
１．基本回転盤に取り付ける永久磁石の角度（基本回転盤の中心を基準）
基本回転盤の最初の位置を０度とし下記角度を考慮する。
３６０度÷クランク回転数×１以上任意の整数（最大値が９０度以内）
２．ガイド基礎の角度（ピストンに取り付けた永久磁石）（基本回転盤の中心を基準）
１の基本回転盤の最初の位置を０度とし下記角度を考慮する。
３６０度÷クランク回転数×１以上任意の整数（最大値が９０度以内）（基本回転盤に取り付けた永久磁石の角度）＋３６０度÷クランク回転数÷２
３．下記計算にてガイド基礎を配置した場合３６０度より手前で間隔（３６０度÷クランク回転数）が開く場合は基本回転盤の最初の位置を０度とし、ガイド基礎を逆方向に（３６０度÷クランク回転数÷２）分、一箇所だけ設置する。
ガイド基礎の角度合計＝３６０度＞（３６０度÷クランク回転数×１以上任意の整数（最大値が９０度以内）＋３６０度÷クランク回転数÷２）×任意の整数
４．基本回転盤とピストンに取り付けた相互に相対する基本回転盤の中心を基準とする永久磁石の上死点での角度は、永久磁石同士の磁界の反発及び引力の最小作用角度範囲内にて１度以上永久磁石同士の磁界での最大作用角度範囲以内で、次の相対する永久磁石同士の反発及び引力に結びつく角度を設ける。
５．クランクを１軸に統一した場合は、１基本回転盤に対しガイド基礎を１ないし基本回転盤に取り付けた永久磁石の数だけ同時作用で取り付けることが出来、トルクの上昇にもつながる。
また、クランク回転数・基本回転盤の枚数及び基本回転盤に取り付ける永久磁石並びにガイド基礎の角度も容易に選択できる。
これらを利用した永久磁石磁界同士の反発及び引力で生じる連続回転を得る構造。
現在、化石燃料・自然エネルギー等を利用して発電しているが、化石燃料は将来枯渇することが考えられていることと、自然エネルギー（水、太陽、風等）に頼れない場合またはない場合及び効率が悪い場合に対し、これらを解決しようとすること及び温暖化などの環境問題に対処することが本発明の本意です。
問題点は、
１  各部品同士の作動での抵抗値が低く収められること。
２  動力伝達時でのロスカット。
３  精密な角度調整。
４  始動、停止方法。
５  反発及び引力が弱くなること。
【０００９】
本発明は、外部のエネルギーを利用しないことで回転を得られることにより、利用地域・場所を選ばないことと、Ｃｏ２削減、温暖化対策などに貢献できるものと思っています。
問題点を解決出来ることは下記により説明できます。
各部品同士の動作での抵抗値を低く収める方法、動力伝達時でのロスカット、精密な角度調整は技術が向上している現在では問題ないことでしょう。
また、強い磁石も開発されていることから抵抗も軽微と見られる。
停止は、ピストンが直角に折れて永久磁石同士を遠ざけるか磁界を遮断する物で基本回転盤を覆うことで解決出来る。
始動は、ピストンが直角に折れているのを真っ直ぐにするか磁界を遮断している物を取り除くことで自動的に作動することまたはクラッチなどで解消。
始動に関しての疑問であるどの地点でも回転を始められるかであるが、基本回転盤とピストンは動力伝達部品により固定されているため、始動と同時に永久磁石の反発及び引力が行われる状態になるので問題はない。
反発及び引力が弱くなることの課題は基本回転盤がフライホイールの役目を果たすことで解決します。
また、クランクを１軸統一の場合は多様な角度で漏れが無く対処できます。
【発明の効果】
【００１０】
外部からエネルギーを供給しないで回転を得られること持ち運び出来ることで、太陽・風力・水力・火力・原子力等の高価または不便、危険、不足、騒音、Ｃｏ２発生、発電能力の低さ等の悪環境を払拭できます。
また、持ち運びが出来ること、大小問わずに製作できることなどにより本装置自身の回転動力利用でのおもちゃから通常電池代わりの発電機、家庭内においての室内発電、電気自動車等の移動式充電用発電、大型の発電及び空気の薄いまたは無い地域・山岳・水中での発電に起用できます。
【発明を実施するための形態】
【００１１】
本装置永久磁石の反発及び引力により外部からのエネルギーを必要としない回転を得られることから、回転軸・盤または動力伝達用歯車（ベルト・チェーン）などで発電機を回転させることまたは自身の回転で他の部品を回転させることが実現できます。
【００１２】
【表１】
2010252621.tif 000003
【表２】
2010252621.tif 000004
【表３】
2010252621.tif 000005
【表４】
2010252621.tif 000006
【表５】
2010252621.tif 000007
【表６】
2010252621.tif 000008
【図面の簡単な説明】
【００１３】
【図１】図１はシリンダー下  立体斜視各部位説明図である。（基本回転盤  ２枚  反発及び引力併用）
【図２】図２はシリンダー上  立体斜視各部位説明図である。（基本回転盤  ２枚  反発及び引力併用）
【図３】図３は平面各部位説明図である。（基本回転盤  ２枚  反発及び引力併用）
【図４】図４はシリンダー下  横から見た各部位説明図である。（基本回転盤  ２枚  反発及び引力併用）
【図５】図５はシリンダー上  横から見た各部位説明図である。（基本回転盤  ２枚  反発及び引力併用）
【図６】図６は永久磁石及びシリンダーの配置角度の説明図である。（基本回転盤  ２枚  反発及び引力併用）
【図７】図７は永久磁石及びシリンダーの配置角度の説明図である。（基本回転盤  １枚  反発）
【図８】図８はシリンダー下  平面透視図である。
【図９】図９は平面各部位詳細説明図である。（基本回転盤  １枚  反発のみ）
【図１０】図１０はシリンダー下  立体斜視各部位説明図である。（基本回転盤  １枚  反発）
【図１１】図１１はシリンダー上  立体斜視各部位説明図である。（基本回転盤  １枚  反発）
【図１２】図１２はシリンダー下  横から見た各部位説明図である。（基本回転盤  １枚  反発）
【図１３】図１３はシリンダー上  横から見た各部位説明図である。（基本回転盤  １枚  反発）
【図１４】図１４は平面各部位簡易説明図である。（基本回転盤  １枚  反発）
【図１５】図１５は動作部位一箇所を上からと横から見た各部位詳細説明図である。（基本回転盤  １枚  反発）
【図１６】図１６は永久磁石同士の磁界の反発説明である。
【図１７】図１７は永久磁石同士の磁界の反発  クランク０度  上死点説明図である。（基本回転盤  １枚  反発）
【図１８】図１８は永久磁石同士の磁界の反発  クランク４５度回転説明図である。（基本回転盤  １枚  反発）
【図１９】図１９は永久磁石同士の磁界の反発  クランク９０度回転説明図である。（基本回転盤  １枚  反発）
【図２０】図２０は永久磁石同士の磁界の引力説明である。
【図２１】図２１は永久磁石同士の磁界の引力  クランク０度  上死点説明図である。（基本回転盤  １枚  引力）
【図２２】図２２は永久磁石同士の磁界の引力  クランク４５度回転説明図である。（基本回転盤  １枚  引力）
【図２３】図２３は永久磁石同士の磁界の引力  クランク９０度回転説明図である。（基本回転盤  １枚  引力）
【図２４】図２４はシリンダー下  バルブ部位立体斜視説明図である。（基本回転盤  １枚  反発）
【図２５】図２５はシリンダー上  バルブ部位立体斜視説明図である。（基本回転盤  １枚  反発）
【図２６】図２６は反発用バルブ部位平面説明図である。（基本回転盤  １枚）
【図２７】図２７は引力用バルブ部位平面説明図である。（基本回転盤  １枚）
【図２８】図２８はバルブ部位立体分解図である。（基本回転盤  １枚  反発）
【図２９】図２９はバルブ部位立体透視図である。
【図３０】図３０は永久磁石同士の反発作用部位の連続展開図の説明である。
【図３１】図３１は永久磁石同士の反発作用部位の連続図１〜６である。シリンダー下  基本回転盤は時計回り、クランクは反時計回り。（基本回転盤  １枚  反発のみ）
【図３２】図３２は永久磁石同士の反発作用部位の連続図７〜１２である。シリンダー下  基本回転盤は時計回り、クランクは反時計回り。（基本回転盤  １枚  反発のみ）
【図３３】図３３は永久磁石同士の反発作用部位の連続図１３〜１８である。シリンダー下  基本回転盤は時計回り、クランクは反時計回り。（基本回転盤  １枚  反発のみ）
【図３４】図３４は永久磁石同士の反発作用部位の連続図１９〜２４である。シリンダー下  基本回転盤は時計回り、クランクは反時計回り。（基本回転盤  １枚  反発のみ）
【図３５】図３５は永久磁石同士の引力作用部位の連続展開図の説明である。
【図３６】図３６は永久磁石同士の引力作用部位の連続図１〜６である。シリンダー下  基本回転盤は時計回り、クランクは反時計回り。（基本回転盤  １枚  引力のみ）
【図３７】図３７は永久磁石同士の引力作用部位の連続図７〜１２である。シリンダー下  基本回転盤は時計回り、クランクは反時計回り。（基本回転盤  １枚  引力のみ）
【図３８】図３８は永久磁石同士の引力作用部位の連続図１３〜１８である。シリンダー下  基本回転盤は時計回り、クランクは反時計回り。（基本回転盤  １枚  引力のみ）
【図３９】図３９は永久磁石同士の引力作用部位の連続図１９〜２４である。シリンダー下  基本回転盤は時計回り、クランクは反時計回り。（基本回転盤  １枚  引力のみ）
【図４０】図４０は永久磁石同士の反発及び引力作用部位の連続展開図の説明である。
【図４１】図４１は永久磁石同士の反発及び引力作用部位の連続図１〜６である。シリンダー下  基本回転盤は時計回り、クランクは反時計回り。（基本回転盤  ２枚（平面なので１枚となる）  反発及び引力併用）
【図４２】図４２は永久磁石同士の反発及び引力作用部位の連続図７〜１２である。シリンダー下  基本回転盤は時計回り、クランクは反時計回り（基本回転盤  ２枚（平面なので１枚となる）  反発及び引力併用）
【図４３】図４３は永久磁石同士の反発及び引力作用部位の連続図１３〜１８である。シリンダー下  基本回転盤は時計回り、クランクは反時計回（基本回転盤  ２枚（平面なので１枚となる）  反発及び引力併用）
【図４４】図４４は永久磁石同士の反発及び引力作用部位の連続図１９〜２４である。シリンダー下  基本回転盤は時計回り、クランクは反時計回（基本回転盤  ２枚（平面なので１枚となる）  反発及び引力併用）
【図４５】図４５はクランク軸を１軸に統一、クランク回転数１８回転の６列立体図である。
【図４６】図４６はクランク軸を１軸に統一、クランク回転数１８回転の歯車から見た６列立体図である。
【図４７】図４７はクランク軸を１軸に統一、クランク回転数１８回転の６列立体横図である。
【図４８】図４８はクランク軸を１軸に統一、クランク回転数１８回転の６列平面展開図である。
【図４９】図４９はクランク軸を１軸に統一、クランクを２増設、１基本回転盤で３クランクが同時作用するクランク回転数１８回転の６列立体図である。
【図５０】図５０はクランク軸を１軸に統一、クランク回転数１８回転、５度ずつ遅れを追加した１２列立体図である。
【図５１】図５１はクランク軸を１軸に統一、クランク回転数１８回転、５度毎の歯車から見た１２列立体図である。
【図５２】図５２はクランク軸を１軸に統一、クランク回転数１８回転、５度毎の１２列立体横図である。
【図５３】図５３はクランク軸を１軸に統一、クランク回転数１８回転、５度毎の１２列平面展開図である。
【図５４】図５４はクランク軸を１軸に統一、クランクを２増設、１基本回転盤で３クランクが同時作用するクランク回転数１８回転、５度毎の１２列平面展開図である。
【図５５】図５５は１軸で作用している過程の平面図である。
【図５６】図５６は１２列平面図である。
【図５７】図５７はクランク回転数１８回転、上死点永久磁石同士角度が基本回転盤の中心を基準として６度の永久磁石の位置確認図である。
【図５８】図５８はクランク回転数２０回転、上死点永久磁石同士角度が基本回転盤の中心を基準として３度の永久磁石の位置確認図である。
【図５９】図５９はクランク回転数３０回転、上死点永久磁石同士角度が基本回転盤の中心を基準として２度の永久磁石の位置確認図である。
【図６０】図６０はクランク回転数３６回転、上死点永久磁石同士角度が基本回転盤の中心を基準として２．５度の永久磁石の位置確認図である。
【図６１】図６１はクランク回転数６０回転、上死点永久磁石同士角度が基本回転盤の中心を基準として２度の永久磁石の位置確認図である。
【符号の説明】
【００１４】
Ａ    反発用基本回転盤
Ｂ    中心軸
Ｃ    反発用基本回転盤に取り付けた永久磁石
Ｄ    ピストン（作動部分）に取り付けた反発用永久磁石
Ｅ    ピストン（作動部分）
Ｆ    クランクシャフト
Ｇ    シリンダー（ガイド基礎）
Ｈ    クランク
Ｉ    基準平歯車６０歯
Ｊ    基準平歯車に連なる第二の平段歯車２０歯（６０歯）
Ｋ    第二の平段歯車６０歯に連なる第三の平段歯車３０歯（６０歯）
Ｌ    第三の平段歯車６０歯に連なる平歯車２０歯（クランク軸取り付け歯車）
Ｍ    底板
Ｎ    中間軸支え板
Ｏ    天井板
Ｐ    ピストンに取り付けた引力用永久磁石
Ｑ    引力用基本回転盤に取り付けた永久磁石
Ｒ    引力用基本回転盤
Ｓ    バルブ作動用カム
Ｔ    バルブ押し出し棒用ガイド付き盤
Ｕ    基本回転盤取り付け版
Ｖ    フライホイール
Ｗ    ギヤまたはそれに変わる物（クランク軸統一した場合にクランク軸を増やすとき使用）
Ｘ    チェーンまたはベルト（クランク軸統一した場合にクランク軸を増やすとき使用）
１    反発用基本回転盤に取り付けた永久磁石
２    反発用基本回転盤に取り付けた永久磁石
３    反発用基本回転盤に取り付けた永久磁石
４    反発用基本回転盤に取り付けた永久磁石
５    反発用基本回転盤に取り付けた永久磁石
６    反発用基本回転盤に取り付けた永久磁石
７    ピストンに取り付けた反発用永久磁石
８    ピストンに取り付けた反発用永久磁石
９    ピストンに取り付けた反発用永久磁石
１０  ピストンに取り付けた反発用永久磁石
１１  ピストンに取り付けた反発用永久磁石
１２  ピストンに取り付けた反発用永久磁石
１３  引力用基本回転盤に取り付けた永久磁石
１４  引力用基本回転盤に取り付けた永久磁石
１５  引力用基本回転盤に取り付けた永久磁石
１６  引力用基本回転盤に取り付けた永久磁石
１７  引力用基本回転盤に取り付けた永久磁石
１８  引力用基本回転盤に取り付けた永久磁石
１９  ピストンに取り付けた引力用永久磁石
２０  ピストンに取り付けた引力用永久磁石
２１  ピストンに取り付けた引力用永久磁石
２２  ピストンに取り付けた引力用永久磁石
２３  ピストンに取り付けた引力用永久磁石
２４  ピストンに取り付けた引力用永久磁石
い    シャフト
ろ    シャフト軸
は    シャフトベアリング
に    シャフトリング
ほ    バルブ
へ    バルブ押し出し用ローラー受け板
と    バルブ引き戻し用バネ
ち    バルブ用基本回転盤内ガイド
り    バルブ押し出し用ローラー
ぬ    ローラー取り付け用兼押し出し棒
る    押し出し棒用バネ
を    押し出し棒用ガイド
【図１】
2010252621.tif 000009
【図２】
2010252621.tif 000010
【図３】
2010252621.tif 000011
【図４】
2010252621.tif 000012
【図５】
2010252621.tif 000013
【図６】
2010252621.tif 000014
【図７】
2010252621.tif 000015
【図８】
2010252621.tif 000016
【図９】
2010252621.tif 000017
【図１０】
2010252621.tif 000018
【図１１】
2010252621.tif 000019
【図１２】
2010252621.tif 000020
【図１３】
2010252621.tif 000021
【図１４】
2010252621.tif 000022
【図１５】
2010252621.tif 000023
【図１６】
2010252621.tif 000024
【図１７】
2010252621.tif 000025
【図１８】
2010252621.tif 000026
【図１９】
2010252621.tif 000027
【図２０】
2010252621.tif 000028
【図２１】
2010252621.tif 000029
【図２２】
2010252621.tif 000030
【図２３】
2010252621.tif 000031
【図２４】
2010252621.tif 000032
【図２５】
2010252621.tif 000033
【図２６】
2010252621.tif 000034
【図２７】
2010252621.tif 000035
【図２８】
2010252621.tif 000036
【図２９】
2010252621.tif 000037
【図３０】
2010252621.tif 000038
【図３１】
2010252621.tif 000039
【図３２】
2010252621.tif 000040
【図３３】
2010252621.tif 000041
【図３４】
2010252621.tif 000042
【図３５】
2010252621.tif 000043
【図３６】
2010252621.tif 000044
【図３７】
2010252621.tif 000045
【図３８】
2010252621.tif 000046
【図３９】
2010252621.tif 000047
【図４０】
2010252621.tif 000048
【図４１】
2010252621.tif 000049
【図４２】
2010252621.tif 000050
【図４３】
2010252621.tif 000051
【図４４】
2010252621.tif 000052
【図４５】
2010252621.tif 000053
【図４６】
2010252621.tif 000054
【図４７】
2010252621.tif 000055
【図４８】
2010252621.tif 000056
【図４９】
2010252621.tif 000057
【図５０】
2010252621.tif 000058
【図５１】
2010252621.tif 000059
【図５２】
2010252621.tif 000060
【図５３】
2010252621.tif 000061
【図５４】
2010252621.tif 000062
【図５５】
2010252621.tif 000063
【図５６】
2010252621.tif 000064
【図５７】
2010252621.tif 000065
【図５８】
2010252621.tif 000066
【図５９】
2010252621.tif 000067
【図６０】
2010252621.tif 000068
【図６１】
2010252621.tif 000069